(57)【要約】【課題】習性の違いを利用することによって、餌を与える対象となる小鳥を、それ以外の小鳥から選別し、対象となる小鳥に優先的に餌を与えることが可能な小鳥用給餌具を提供すること。【解決手段】習性の違いを利用して特定の種類の小鳥に餌を与えるための小鳥用給餌具１０を、小鳥に与える餌をセットする横棒１１と、横棒１１を支持する支持具１３と、横棒１１にセットされた餌の少なくとも上方を覆うガードカバー１２と、上方から吊り下げるための吊り紐１４とから構成する。【選択図】図１
2005210940.tif 000002
【特許請求の範囲】
【請求項１】
習性の違いを利用して特定の種類の小鳥に餌を与えるための小鳥用給餌具であって、
小鳥に与える餌をセットする棒と、棒を支持する支持部材と、棒にセットされた餌の少なくとも上方を覆うカバー部材とからなることを特徴とする小鳥用給餌具。
【請求項２】
前記カバー部材を略半円筒状に形成し、カバー部材の両端部に前記支持部材を取り付けたことを特徴とする請求項１に記載の小鳥用給餌具。
【請求項３】
前記支持部材に前記棒を係止する係止部を設けるとともに、支持部材に対して棒を係脱可能としたことを特徴とする請求項１または請求項２に記載の小鳥用給餌具。
【請求項４】
前記カバー部材に、上方から吊り下げるための部材を、直接的に、または、前記支持部材を介して間接的に取り付けたことを特徴とする請求項１、請求項２、または、請求項３に記載の小鳥用給餌具。
【発明の詳細な説明】
【技術分野】
【０００１】
本発明は、小鳥用の給餌具に関し、特に、習性の違いを利用して特定の種類の小鳥に餌を与える小鳥用給餌具に関する。
【背景技術】
【０００２】
庭等に設置される小鳥用の給餌具（例えば、餌台）には、多くの種類の小鳥が集まってくる。
しかし、餌を与える対象となる小鳥を特定せずに餌を餌台に置くと、集団行動するスズメや、体が大きなヒヨドリ、カラス等に餌台を独占されてしまい、その他の小鳥が餌台に近づけないといった状況が発生しうる。そして、スズメや、ヒヨドリ、カラス等に優先的に餌を食べられてしまうと、対象となる小鳥に餌を与えられないという問題が引き起こされることがある。
【０００３】
このため、対象となる小鳥を餌台に集めて餌を与えるには、何らかの方法によって、対象となる小鳥を、それ以外の小鳥から選別することが必要となる。従来では、選別方法として、餌の種類を変える方法や、体重差を利用する方法や、編み籠による物理的なガードを利用する（編み籠のメッシュを小鳥が通り抜けられる大きさに調節する）方法が使われていた。
【０００４】
なお、特許文献１には、限られた種類または大きさの野鳥のみに餌を与えることが可能な給餌具が開示されている。具体的には，スズメの学習能力の高さに着目して、学習により知恵の発達したスズメのみに餌を与えることが可能な給餌具が示されている。
【０００５】
【特許文献１】特開２００１−４５９０１号公報
【発明の開示】
【発明が解決しようとする課題】
【０００６】
しかしながら、従来の小鳥用給餌具においては、餌を与える対象となる小鳥が、例えば、シジュウカラ、ヤマガラ、ゴジュウカラのようなカラ類である場合には、次のような理由により、スズメとの選別が難しく、カラ類に優先的に餌を与えられないという問題点があった。
【０００７】
スズメはカラ類と体の大きさが略同じであるため、上述した体重差を利用する選別方法や、編み籠を利用する選別方法を使用することはできなかった。
【０００８】
また、スズメは集団行動するため、同じ餌場では、カラ類よりも強く、優先的に餌を食べられてしまっていた。しかも、スズメは学習能力が高いため、通常ではあまり食べないカラ類用の餌である脂身やピーナッツであっても、学習により食べるようになる。このため、餌の種類を変える方法による選別も難しかった。
【０００９】
そこで、本発明では、小鳥の習性に着目し、この習性の違いを利用することによって、対象となる小鳥を、それ以外の小鳥から選別し、対象となる小鳥に優先的に餌を与えることが可能な小鳥用給餌具を提供することを課題とする。詳しくは、逆さの姿勢で止まることが得意な習性を有するカラ類等の小鳥（対象となる小鳥）を、スズメ等のそれ以外の小鳥から選別して、カラ類等の小鳥に優先的に餌を与えることが可能な小鳥用給餌具を提供することを課題とする。
【課題を解決するための手段】
【００１０】
本発明の解決しようとする課題は以上の如くであり、次にこの課題を解決するための手段を説明する。
すなわち、請求項１においては、習性の違いを利用して特定の種類の小鳥に餌を与えるための小鳥用給餌具であって、小鳥に与える餌をセットする棒と、棒を支持する支持部材と、棒にセットされた餌の少なくとも上方を覆うカバー部材とからなるものである。
【００１１】
請求項２においては、前記カバー部材を略半円筒状に形成し、カバー部材の両端部に前記支持部材を取り付けたものである。
【００１２】
請求項３においては、前記支持部材に前記棒を係止する係止部を設けるとともに、支持部材に対して棒を係脱可能としたものである。
【００１３】
請求項４においては、前記カバー部材に、上方から吊り下げるための部材を、直接的に、または、前記支持部材を介して間接的に取り付けたものである。
【発明の効果】
【００１４】
本発明の効果として、以下に示すような効果を奏する。
すなわち、請求項１に示すような小鳥用給餌具によれば、棒にセットされた餌の下側部分に逆さの姿勢で止まらなければ餌を食べることができない。これにより、逆さの姿勢で止まることが得意な習性を有するカラ類等の小鳥を、スズメ等のそれ以外の小鳥から選別することができ、カラ類等の小鳥に優先的に餌を与えることができる。
【００１５】
請求項２に示すような小鳥用給餌具によれば、逆さの姿勢で止まることが得意な習性を有するカラ類等の小鳥を、スズメ等のそれ以外の小鳥から選別することができ、カラ類等の小鳥に優先的に餌を与えることができる。また、身近なありふれた材料から作ることができ、しかも、簡単な加工で作ることができる。
【００１６】
請求項３に示すような小鳥用給餌具によれば、棒の安定性が向上し、餌の交換や補充を容易に行うことができる。
【００１７】
請求項４に示すような小鳥用給餌具によれば、枝等に吊り下げることにより、棒にセットされた餌の下方の空間を確保することができる。
【発明を実施するための最良の形態】
【００１８】
次に、発明を実施するための最良の形態を添付の図面を用いて説明する。
図１は本発明を適用する小鳥用給餌具の一実施例を示す斜視図、図２は同じく側面図、図３は小鳥が餌を食べる様子を示す図である。
【００１９】
図１、図２、図３を用いて、小鳥用給餌具（以下では、単に「給餌具」と言う）１０の構成について説明する。
なお、便宜上、図１に示す矢印にしたがって、左右方向（横方向）と前後方向を定めている。また、餌を与える対象となる小鳥を、シジュウカラ、ヤマガラ、ゴジュウカラ等のカラ類として説明する。カラ類は、逆さの姿勢で止まることが得意な習性を有する。ただし、カラ類に限定されず、同様の習性を有する小鳥であれば、餌を与える対象となりうる。
【００２０】
給餌具１０は、カラ類に与える餌をセットする横棒１１、横棒１１にセットされた餌の少なくとも上方を覆うガードカバー１２、横棒１１を支持する支持具１３、吊り紐１４から構成される。ガードカバー１２の両端部に支持具１３・１３が取り付けられ、支持具１３・１３間に横棒１１が略水平に横架されて、横棒１１の少なくとも上方を覆うようにガードカバー１２が配置されている。そして、干し肉やピーナッツ等のカラ類用の餌（図１には図示せず）が、適当な間隔を隔てて横棒１１に突き刺されてセットされている。
【００２１】
また、ガードカバー１２の上方において、吊り紐１４が支持具１３・１３と連結されて、給餌具１０を上方から吊り下げることを可能としている。なお、図に示すように、吊り紐１４にフック（図ではＳ字フック）１５等の連結部材を連結して樹木の枝や軒先等から吊り下げてもよいし、連結部材を用いずに吊り紐１４または支持具１３・１３をそのまま樹木の枝や軒先等に掛けて吊り下げてもよい。
【００２２】
横棒１１は、細長い棒状の部材である。横棒１１は、餌を突き刺してセットできれば、アルミニウムや鉄等の金属製の棒であってもよいし、樹脂製の棒であってもよい。また、木製や竹製の棒であってもよい。つまり、横棒１１の材質は、特に限定されず、身近にある材料を用いることができる。そして、横棒１１はガードカバー１２と略平行に横架できるものであれば良い。
カラ類は、横棒１１にセットされた餌の下側部分、または、横棒１１の餌と餌との間隔がある程度開いている場合には餌と餌との間の部分に、逆さの姿勢で止まる。このように、横棒１１は、カラ類に与える餌をセットするための串の役割を果たすとともに、カラ類が止まるための止まり木の役割を果たしている。なお、図では、給餌具１０に横棒１１を１本のみ設ける構成としているが、２本以上並べて設ける構成としてもよい。ただし、この場合には、横棒１１を設ける本数に対応させて、後述する支持具１３の窪み１３ｃを設けるようにする。
【００２３】
ガードカバー１２は、略半円筒状の細長い部材である。ガードカバー１２は、木製や竹製であってもよいし、樹脂製であってもよいし、金属製であってもよい。つまり、ガードカバー１２の材質は、特に限定されず、身近にある材料を用いることができる。
ガードカバー１２は、横棒１１の少なくとも上方を覆うように、上に凸の状態で、つまり、膨らんだ部分を上方に向けて配置される。言い換えれば、ガードカバー１２内に横棒１１が横架される構成としている。該ガードカバー１２の左右長さは、横棒１１と比べて略同じ長さ、または、若干短い長さに形成されている。また、ガードカバー１２の正面視で前後略中央に横棒１１が位置している。
【００２４】
このようなガードカバー１２により、横棒１１のうち少なくとも餌がセットされた部分の上方および側方が覆われる。そして、ガードカバー１２と横棒１１との前後方向の間隔は、つまり、ガードカバー１２内面と横棒１１との間隔は、スズメ等の小鳥が入り込み難い間隔となっている。なお、ガードカバー１２と、横棒１１にセットされた餌の上端部とは、若干の距離を隔てて離間していてもよいし、接していてもよい。
以上のようなガードカバー１２により、スズメ等の小鳥がガードカバー１２と横棒１１にセットされた餌との隙間から入り込んで餌の上側部分に止まることを防ぐとともに、餌が雨にぬれることを防いでいる。言い換えれば、スズメ等の小鳥は、餌の下側部分に逆さの姿勢で止まらなければ、餌を食べることができないようにしている。なお、ガードカバー１２の形状は、略半円筒状に限定されず、横棒１１にセットされた餌の下側部分に逆さの姿勢で止まらなければ餌を食べることができないような形状であれば、特に限定されない。例えば、略半楕円筒状であってもよいし、断面視で略Ｕ字状や略「コ」字状（Ｕ字状やコ字状の開放部分が下向き）であってもよい。ただし、好ましくは、半円状が良く、ガードカバー１２の上面に止まり足で支えられず、滑る形状がよい。こうすることで、ガードカバー１２上面に乗り足で支えることができず、首を伸ばしてくちばしを下側に向けることができず餌を取ることができないのである。
【００２５】
支持具１３は、横棒１１を支持するための支持部１３ａと、吊り紐１４と連結される連結部１３ｂとからなる。そして、ガードカバー１２の両端部に形成される孔部を貫通して、ガードカバー１２の上側（外側）と下側（内側）とにわたって設けられている。
ガードカバー１２の下内側部分には、支持部１３ａが前後水平方向に形成され、支持部１３ａの前後略中央に横棒１１と係止する係止部である窪み（凹部）１３ｃが形成されている。そして、左右の支持部１３ａ・１３ａの窪み１３ｃ・１３ｃに横棒１１の両端部が係止される（掛けられる）ことによって、横棒１１が支持されるようにしている。横棒１１は、支持部１３ａ・１３ａに対して係脱可能となっており、窪み１３ｃ・１３ｃに掛けることによって位置決めして取り付けることができ、逆に、窪み１３ｃ・１３ｃから外すことによって取り外すことができる。このため、餌の交換や補充を容易に行うことができる。また、窪み１３ｃに掛けることによって横棒１１の安定性が向上する。
【００２６】
また、ガードカバー１２に形成される孔部の上下位置を調整することによって、支持具１３の支持部１３ａの上下位置が調整され、横棒１１に取り付けられた餌とガードカバー１２内側との間隔が調整される。なお、窪み１３ｃの深さを調整することによっても、餌とガードカバー１２との間隔が調整される。
以上のように、支持具１３は、横棒１１を支える機能とともに、餌とガードカバー１２の間隔を調整する機能を有している。
【００２７】
他方、ガードカバー１２の上側部分には、連結部１３ｂが形成されている。そして、左右の支持具１３・１３の連結部１３ｂ・１３ｂと、吊り紐１４とが連結されている。吊り紐１４は、給餌具１０全体を枝等から吊るすための部材である。吊り紐１４を用いて給餌具１０を枝等に吊り下げることにより、横棒１１にセットされた餌の下方の空間を確保することができる。なお、支持具１３を、ガードカバー１２の両端部だけでなく、両端部に加えてそれ以外の部分（例えば、左右略中央）に設けるようにしてもよい。また、吊り紐１４を、支持具１３・１３を介して間接的にガードカバー１２に連結する構成に替えて、ガードカバー１２に直接的に取り付けて吊り下げるようにしてもよい。ガードカバー１２に直接取り付ける場合には、支持具１３の連結部１３ｂは不要となる。また、給餌具１０を吊るすための部材として、吊り紐１４の替わりに、ワイヤや針金等を用いてもよい。
さらには、吊り紐１４等を用いずに、ガードカバー１２を軒先等に直接的に取り付けて固定するようにしてもよい。この場合には、吊り紐１４を用いる場合よりも安定性が向上し、ガードカバー１２の下端の縁部分にカラ類が止まっても揺れたりしなくなる。このため、カラ類は、ガードカバー１２の下端の縁部分に逆さの姿勢で止まって、横棒１１にセットされた餌を食べることが可能となる。
【００２８】
支持具１３は、支持部１３ａと連結部１３ｂとを同一の部材により形成してもよいし、別の部材を結合して一体的に形成してもよいし、支持部１３ａと連結部１３ｂは別の位置に取り付けてもよい。同一の部材により形成する場合には、針金等の細長い金属を折り曲げて各部１３ａ・１３ｂ・１３ｃを形成する。また、別の部材を結合して一体的に形成する場合には、紐やワイヤ等で形成された連結部１３ｂと、窪み１３ｃの部分を折り曲げて形成された金属製の支持部１３ａとを結合する。なお、このような金属製の支持部１３ａに替えて、窪み１３ｃの部分を削り取って形成された木製、竹製、または樹脂製の支持部１３ａとしてもよい。
このように、支持具１３は、身近にある材料を用いて簡単に作成することができる。なお、横棒１１を係止する係止部として、窪み１３ｃの替わりに、窪み１３ｃに相当する凹凸を支持部１３ａに設けるようにしてもよい。また、窪み１３ｃの部分を形成する替わりに、金属製等のリング状の部材を用い、このリング状の部材に紐等を通して、支持具１３を形成してもよい。
【００２９】
以上のように構成される給餌具１０によれば、小鳥の習性に着目して、この習性の違いを利用することによって、対象となる小鳥を、それ以外の小鳥から選別して、対象となる小鳥に優先的に餌を与えることができる。具体的には、逆さの姿勢で止まることが得意な習性を有するカラ類を、それ以外の小鳥から選別することができ、カラ類に優先的に餌を与えることができる。特に、カラ類を、体の大きさが略同じスズメと選別することができる。
【００３０】
詳しく言えば、スズメは、ガードカバー１２の存在により、横棒１１にセットされた餌の上側部分には止まることができず、下側部分に回り込まなければ止まることができない。また、たとえ止まることができても、逆さの姿勢でしか餌を食べることができない。したがって、逆さの姿勢で止まることが不得意という習性を有するスズメにとっては餌を採ることが困難となる。しかも、スズメは学習能力が高いため、このような給餌具１０には次第に来ないようになる。
この結果、この給餌具１０には、逆さの姿勢で止まることが得意という習性を有するカラ類が集まるようになり、これにより、カラ類は自由に餌を採食することが可能となる。
【００３１】
また、給餌具１０は、身近なありふれた材料から作ることができ、しかも、簡単な加工で作ることができる。そして、上述したように、餌の交換や補充を容易に行うことができる。
【図面の簡単な説明】
【００３２】
【図１】本発明を適用する小鳥用給餌具の一実施例を示す斜視図。
【図２】同じく側面図。
【図３】小鳥が餌を食べる様子を示す図。
【符号の説明】
【００３３】
１０  小鳥用給餌具
１１  横棒
１２  ガードカバー
１３  支持具
１４  吊り紐
【図１】
2005210940.tif 000003
【図２】
2005210940.tif 000004
【図３】
2005210940.tif 000005